(57)【要約】      （修正有）【課題】工事現場や事故災害現場あるいは製造現場などの危険箇所に人が接近すると音声や警告灯による警告を発し注意を喚起して事故を未然に防ぎ、現場の安全を図るための警告装置を提供する。【解決手段】テーパー状の下部筒状部２と、下部筒状部２に連なる上部筒状部３とから成り、上部筒状部３に人感センサー４と音声録音再生装置５を装備して警告装置１構成し、コーン形パイロンの頂部に嵌め込む。また、２枚の板状体を蝶番にて開閉自在に連結した立て看板の板状体に人感センサー４と音声録音再生装置を装備して警告装置を構成し、人感センサーが接近者を感知すると点灯または点滅する警告灯を備えた警告装置としても良い。【選択図】図１
0003158444.tif 000002
【実用新案登録請求の範囲】
【請求項１】
接近者を感知する人感センサーと、人感センサーが接近者を感知すると予め録音した音声を再生する音声録音再生装置とを備えた警告装置であって、
円錐形状を呈するコーン形パイロンの頂部を嵌め込むテーパー状の下部筒状部と、下部筒状部に連なる上部筒状部とから成り、上部筒状部に人感センサーと音声録音再生装置を装備したものである警告装置。
【請求項２】
接近者を感知する人感センサーと、人感センサーが接近者を感知すると予め録音した音声を再生する音声録音再生装置とを備えた警告装置であって、
２枚の板状体を蝶番にて開閉自在に連結した立て看板の板状体に人感センサーと音声録音再生装置を装備したものである警告装置。
【請求項３】
人感センサーが接近者を感知すると点灯または点滅する警告灯を更に備えたものである請求項１または請求項２のいずれかに記載の警告装置。
【考案の詳細な説明】
【技術分野】
【０００１】  本考案は、各種の工事現場や事故災害現場あるいは製造現場などの危険箇所に設置する安全用品に関するものである。より詳しくは、危険箇所に人が接近すると音声や警告灯による警告を発し注意を喚起して事故を未然に防ぎ、現場の安全を図るための警告装置に関するものである。
【背景技術】
【０００２】  各種の工事現場や事故災害現場あるいは製造現場などの危険箇所においては、作業者や第三者が不用意に危険箇所に立ち入ることがないように、看板やステッカーあるいはコーン形パイロンやバリケードまたはフェンスなど安全用品を設置して立ち入りを禁止したり注意を喚起している。例えば電気工事の現場においては充電状態の電線や端子などが露出している場合があり、流れている電流は目に見えないことから十分な注意を要する。特に高圧配電盤設備や高圧遮断器設備および屋外特別高圧設備など高圧電流の場合には、直接に接触しなくても限界距離以内に近づくだけで感電する危険があることから、殊更に厳重な注意が必要であり、相応の対策を講ずる必要がある。
これらの危険箇所に設置する安全用品には多くの種類があり、良く目立ち効果が高いもの、安価で耐久性に優れるもの、手軽に使用でき収納保管が容易なものなど、盛んに開発され随所において使用されている。また、音声により注意を喚起する警報装置や種々の警告を与える支援装置など先進的な技術も提案されている。
例えば特開２００５−３１７５３にて提案されている警報装置は、接近者を検出するとスピーカから音声を発して注意を喚起するものであり、また、特開２００２−２８７８４６にて提案されている現場支援システムは、作業者の各種作業環境を測定して危険状況を音声にて警告するものである。
【考案の概要】
【考案が解決しようとする課題】
【０００３】  しかしながら、特開２００５−３１７５３にて提案されている警報装置は、接近者検出手段やスピーカおよび電源や制御部などを立方体の筺体内に一体に備えたものであり、随所に設置して使用できる利便性はあるものの、作業者や第三者には形状が単純であることから認識され難く、危険箇所であることが単独では認知され難いものである。また、特開２００２−２８７８４６にて提案されている現場支援システムは、各種の環境測定機器や体に纏うウエアラブルコンピュータなどを装備するものであり、高度な警告が可能であるものの、コストが非常に嵩むものである。【０００４】  本考案は上述のような現状に鑑みて成されたものであり、高度な警告を可能としつつ、危険箇所であることを作業者や第三者が容易に認識することができ、併せて低コストとすることができる警告装置を提供することを課題とするものである。
【課題を解決するための手段】
【０００５】  上記のような課題を解決するために、請求項１に係る本考案の警告装置は、接近者を感知する人感センサーと、人感センサーが接近者を感知すると予め録音した音声を再生する音声録音再生装置とを備えた警告装置であって、円錐形状を呈するコーン形パイロンの頂部を嵌め込むテーパー状の下部筒状部と、下部筒状部に連なる上部筒状部とから成り、上部筒状部に人感センサーと音声録音再生装置を装備したものである。
また、請求項２に係る本考案の警告装置は、同じく接近者を感知する人感センサーと、人感センサーが接近者を感知すると予め録音した音声を再生する音声録音再生装置とを備えた警告装置であって、２枚の板状体を蝶番にて開閉自在に連結した立て看板の板状体に人感センサーと音声録音再生装置を装備したものである。
そして、請求項３に係る本考案の警告装置は、このような警報装置について、更に人感センサーが接近者を感知すると点灯または点滅する警告灯を備えたものである
【考案の効果】
【０００６】  本考案の警報装置は、このような構成としたことにより、適宜必要に応じて録音した所定内容の音声や光を危険箇所に人が接近した際に発して注意を喚起する高度な警告が可能となる。また、既に多くの現場において使用され広く一般的に認知されている形態の安全用品であるコーン形パイロンや立て看板に付加あるいは組み込むことで、危険箇所であることを作業者や第三者が容易に認識することができる。また併せて低コストとすることができる
【図面の簡単な説明】
【０００７】
【図１】  請求項１に係る本考案の実施例を示す斜視図である。
【図２】  （ａ）は図１に示す実施例の使用状態を示す分解斜視図、（ｂ）は図１に示す実施例の使用状態を示す斜視図である。
【図３】  図１に示す実施例の他の使用状態を示す斜視図である。
【図４】  請求項２に係る本考案の実施例を示す斜視図である。
【考案を実施するための形態】
【０００８】
【実施例】
【０００９】  本考案の実施例を以下、図面に基づいて説明する。尚、各図において共通する部分には同一の符号を付し重複する説明は省略する。
図１は請求項１に係る本考案の実施例を示す斜視図であり、テーパー状の下部筒状部２と、下部筒状部２に連なる上部筒状部３とから成り、上部筒状部３に人感センサー４と音声録音再生装置５を装備して構成した警告装置１である。尚、６はスピーカーであり、７は請求項３に係る警告灯である。この実施例では人感センサー４を警告灯７に取り付けている。
人感センサー４は赤外線方式や超音波方式など既知のものが使用でき、必要に応じて感度を調節して接近する人との距離を設定できるものが好ましい。音声録音再生装置５は電源装置や録音装置および再生装置、人感センサー４やスピーカー６および警告灯７との入出力装置および全体の制御装置などから成り、電源装置はメインスイッチ（不図示）を備え、一次電池や二次電池のほか太陽光発電や外部電源も利用できるものが好ましい。尚、録音し再生する音声としては、各種のブザー音のほか所定内容のメッセージとすることができる。警告灯７は点灯あるいは点滅する灯具であるが、形状や色彩などは状況に応じて適宜設定することが好ましい。【００１０】  図２（ａ）は図１に示す実施例の使用状態を示す分解斜視図であり、警告装置１の下部筒状部２にコーン形パイロン８の頂部を嵌め込むことによりコーン形パイロン８に警告装置１を付加し、図２（ｂ）に示すように両者を組合わせて一体化することができる。このため、下部筒状部２は円錐形状を呈するコーン形パイロン８のテーパー傾斜度に合わせたテーパー状に形成されている。【００１１】  図３は図１に示す実施例の他の使用状態を示す斜視図であり、図２（ｂ）に示すように警告装置１とコーン形パイロン８を一体に組合わせたもの２基をコーンバー９にて連結したものである。このような場合は、いずれか一方の警告装置１のみを作動させ、人感センサー４の感度を調節し他方の人感センサー４の感知範囲をカバーすることが好ましい。
図４は請求項２に係る本考案の実施例を示す斜視図であり、２枚の板状体１１を蝶番１２にて開閉自在に連結した立て看板１３の板状体１１に人感センサー４と音声録音再生装置１４を装備して構成した警告装置１０である。尚、１５はスピーカーであり、１６はメインスイッチである。尚、この実施例では警告灯は使用していない。
人感センサー４や音声録音再生装置１４は先の実施例と基本的に同様のものを使用できるが、板状体１１の寸法規模からスピーカー１５は比較的大型で出力の大きいものを使用することができ好適である。また、音声録音再生装置１４や人感センサー４およびメインスイッチ１６の配置も自由度が高いことから使用条件に応じて配置することが好ましい。
【産業上の利用可能性】
【００１２】  本考案の警告装置は以上の説明の如き内容のものであり、各種の工事現場や事故災害現場あるいは製造現場などの危険箇所に設置して好適なものである。特に、既に多くの現場において使用され広く一般的に認知されている形態の安全用品に付加あるいは組み込むことにより、存在自体が注意を喚起し更に作動して所定の音声や光を発し高度な警告が可能であることから、広く随所で様々な活用が期待される。併せて、使用する各部品や機器類は多く流通している比較的安価なもので構成することができ、低コストであることから、手軽に利用することができる。
また、危険箇所に設置して警告を発する用途に供するのみでなく、例えば各種の案内や誘導あるいは連絡や広告および説明などにも活用でき、商業あるいは交通や観光およびスポーツなど多くの分野にも利用することが可能である。特に、設置現場において随時適宜に所定内容のメッセージを録音し再生することにより、状況や事情に機敏に対応することができ、一層多様な活用が期待できる。
【符号の説明】  １、１０  …  警告装置
２        …  下部筒状部
３        …  上部筒状部
４        …  人感センサー
５、１４  …  音声録音再生装置
７        …  警告灯
８        …  コーン形パイロン
１１        …  板状体
１２        …  蝶番
１３        …  立て看板
【図１】
0003158444.tif 000003
【図２】
0003158444.tif 000004
【図３】
0003158444.tif 000005
【図４】
0003158444.tif 000006